(57)【要約】    【課題】導光路の製作費を節減させ、さらにリレーターミナルの外形を縮小させる。    【解決手段】プリント基板１０に搭載した各リレー２の近傍に複数のＬＥＤ４をそれぞれ一列に配列するとともに、このＬＥＤ４と対向するようにケース１に窓８を設け、動作表示を安価に行うとともに、各リレーの動作確認をし易くする。【選択図】        図２
2005123211.tif 000002
【特許請求の範囲】
【請求項１】
復数のリレーと各リレーの動作状態を表示する複数のＬＥＤとを搭載したプリント板をケース内に収納し、このケースの底板部に設けられたスライダ及び係止部と底板部の底面との間に幅方向両側に案内用突条を備えたレールを取付けるようにしたリレーターミナルにおいて、前記プリント板に搭載した各リレーの近傍に複数のＬＥＤをそれぞれ一列に配列するとともに、このＬＥＤと対向するようにケースに窓を設け、該窓と前記ＬＥＤとの間にプレスの打ち抜き加工により各ＬＥＤと同数の導光路を並列に形成した板状の透明な導光部材を配したことを特徴とするリレーターミナル。
【請求項２】
復数のリレーと各リレーの動作状態を表示する複数のＬＥＤとを搭載したプリント板をケース内に収納し、このケースの底板部に設けられたスライダ及び係止部と底板部の底面との間に幅方向両側に案内用突条を備えたレールを取付けるようにしたリレーターミナルにおいて、前記プリント板に搭載した各リレーの近傍に複数のＬＥＤをそれぞれ一列に配列するとともに、該ＬＥＤの上面を覆うようにケースの外側に階段面を形成し、このケースの階段面に前記ＬＥＤと対向する窓を設けたことを特徴とするリレーターミナル。
【請求項３】
請求項１または２に記載のものにおいて、ケースの上面を覆うようにケース内に取り付けられる蓋を備え、この蓋の両側に突出棒を設けるとともに、前記ケースの両側に前記突出棒が嵌合する通孔とこの通孔の下側よりケース内に突出する舌片を設け、前記蓋の突出棒を前記ケースの通孔に嵌合させるとともに、この突出棒の根元部に前記舌片の上面に係止されて蓋を開状態に保持する斜面を形成したことを特徴とするリレーターミナル。
【発明の詳細な説明】
【技術分野】
【０００１】
この発明は、例えばプログラマブルコントローラと機器との間のインタフェイスとして用いられ、プログラマブルコントローラの出力信号に従って機器を制御するリレーターミナルに関する。
【背景技術】
【０００２】
図１５は、従来のリレーターミナルの構成を示す斜視図である。ケース３８に複数のリレー２と、このリレー２の接点を外部に引き出すための複数の端子３と、プログラマブルコントローラ側からの引き出し線をリレー２の図示されていない動作コイルに接続するためのコネクタ３０と、端子３を機器側の入力端子に接続するためのコネクタ３１とが収納されている。ケース３８には、リレー２と同数の複数の窓３９が貫通し、内蔵のＬＥＤの発光状態を目視することができるようになっている。さらに、ケース３８の下部にはスライダ４１が設けられ、幅方向の両側に突出する一対の突条７Ａを備えたレール７の一方の突条にスライダ４１が係合することによりリレーターミナルがレール７に着脱可能とされている。
また、ケース３８の上部にはヒンジ部４０が突設され、このヒンジ部４０を介して図１５では図示されていない蓋が取り付けられている。
【０００３】
図１６は、図１５のケース３８の下部に嵌め入まれている底板部とスライダ４１だけを取り出して示した分解斜視図である。スライダ４１と底板部４２とは、別部品になっており、底板部４２側の溝５２にスライダ４１の両側の出っ張り部５１が嵌まり、スライダ４１が底板部４２に対して後述されるようにスライド可能である。また、底板部４２には、突起部５０が形成されている。
図１７は、図１５のＡ−Ａ断面図である。ケース３８の上部には透明な蓋４３がヒンジ部４０に取り付けられ、端子３を覆っている。ケース３８の内部にはプリント基板１０が配され、このプリント基板１０の奥行き側に図１７では図示されていないＬＥＤが搭載されている。また、底板部４２に溝状の第一係止部１２Ａが形成され、この第一係止部１２Ａにレ−ル７の右側の突条が嵌合している。一方、スライダ４１の右端には、段状に切り欠かれた第二係止部１２Ｂと、斜めに切り欠かれたテーパ面１３が形成されている。
【０００４】
図１８は、図１５のリレーターミナルにおけるＬＥＤと窓３９との間に配置される導光路６０だけを取り出して示した斜視図である。複数の導光路６０は透明な材料よりなり、連結部６１を介して互いに平行に並べられている。導光路６０の下部にＬＥＤ６２が配され、導光路６０のそれぞれの上部側にはケース３８を貫通する窓３９（図１５）が配されている。ＬＥＤ６２の発光が導光路６０を介して上部へ導光され、リレーのそれぞれの動作状態を窓から目視することができる。
図１９は、図１６のスライダ４１を底板部４２に取り付けた状態を示す要部平面図である。スライダ４１が底板部４２の外側（図１９の下側）にドライバ穴４３を備え、底板部４２の内側の穴７０に突起５４と両側のばね５３とが形成されている。突起５４は、突起部５０（図１６）の溝部５０Ａに嵌合可能であり、また、ばね５３は、突起部５０（図１６）の外側に接している。
【０００５】
図２０は、図１５のリレーターミナルがレール７に取り付けられるときのスライダ４１の動きを説明する断面図である。それぞれ（Ａ）はリレーターミナルをレール７に取り付ける直前の状態、（Ｂ）はリレーターミナルをレール７に取り付けている途中の状態、（Ｃ）はリレーターミナルをレール７に取り付け終えた状態の図である。図２０の（Ａ）において、まず、レール７の図示されていない右側の突条７Ａが図１７のように底板４２の第一係止部１２Ａに嵌められ、次に左側の突条７Ａがスライダ４１のテーパ面１３に当てられる。その状態でリレーターミナルを上から押すと、図２０の（Ｂ）のようにスライダ４１がテーパ面１３により左側へスライドする。さらにリレーターミナルを押すと、図２０の（Ｃ）のように，レール７の左側の突条７Ａがスライダ４１の右端の第二係止部１２Ｂに嵌まり込む。図２０の（Ｃ）の状態は、スライダ４１がレール７によって左側へ押されているので、距離Ｄだけ（Ａ）の状態より左側へ寄っている。
【０００６】
図２０におけるスライダ４１の左方への動きは、図１９では矢印Ｆ方向への動きに対応する。図１９において、スライダ４１がＦ方向への動くと、突起５４が溝部５０Ａに嵌まりスライダ４１がＦ方向へガイドされる。一方、ばね５３は、突起部５０の外側の膨らみによってスライダ４１を反Ｆ方向へ戻そうとする付勢力をスライダ４１に与える。そのために、図２０の（Ｃ）の状態では、スライダ４１がレール７を右側へ押し続けている。それによって、リレーターミナルがレール７に固定される。
リレーターミナルをレール７から外すときは、図１９においてスライダ４１のドライバ穴４３にドライバを差し込み、スライダ４１をＦ方向へ引き出す。それによって、レール７と第二係止部１２Ｂとの係止が解け、リレーターミナルがレール７から外れる。
【発明の開示】
【発明が解決しようとする課題】
【０００７】
しかしながら、前述したような従来のリレーターミナルは、
(1)ＬＥＤの導光路の製作費が高い。
(2)蓋の部分がケースから出っ張りリレーターミナルの外形が大きい。
と言う問題があった。
すなわち、(1)については、図１８のように導光路６０が連結部６１を介して二列になっているので型成形品となり高価な金型の製作が必要である。そのために、金型の製作費が嵩んでいた。(2)については、図１７のようによりヒンジ部４０がケース３８から出っ張るので、その分、リレーターミナル全体の外形が大きかった。
この発明の目的は、導光路の製作費を節減させ、さらにリレーターミナルの外形を縮小させることにある。
【課題を解決するための手段】
【０００８】
上記目的を達成するために、この発明によれば、復数のリレーと各リレーの動作状態を表示する複数のＬＥＤとを搭載したプリント板をケース内に収納し、このケースの底板部に設けられたスライダ及び係止部と底板部の底面との間に幅方向両側に案内用突条を備えたレールを取付けるようにしたリレーターミナルにおいて、前記プリント板に搭載した各リレーの近傍に複数のＬＥＤをそれぞれ一列に配列するとともに、このＬＥＤと対向するようにケースに窓を設け、該窓と前記ＬＥＤとの間にプレスの打ち抜き加工により各ＬＥＤと同数の導光路を並列に形成した板状の透明な導光部材を配するようにする。これによって、各リレーの動作確認がし易くなるとともに、導光路を透明板からプレスの打ち抜き加工によって製作することができる。したがって、金型が不要になり安価な打ち抜き型によって製作することができる。
【０００９】
また、復数のリレーと各リレーの動作状態を表示する複数のＬＥＤとを搭載したプリント板をケース内に収納し、このケースの底板部に設けられたスライダ及び係止部と底板部の底面との間に幅方向両側に案内用突条を備えたレールを取付けるようにしたリレーターミナルにおいて、前記プリント板に搭載した各リレーの近傍に複数のＬＥＤをそれぞれ一列に配列するとともに、該ＬＥＤの上面を覆うようにケースの外側に階段面を形成し、このケースの階段面に前記ＬＥＤと対向する窓を設けるようにする。これによって、導光路が不要になり製作費が安くなる。
また、かかる構成において、ケースの上面を覆うようにケース内に取り付けられる蓋を備え、この蓋の両側に突出棒を設けるとともに、前記ケースの両側に前記突出棒が嵌合する通孔とこの通孔の下側よりケース内に突出する舌片を設け、前記蓋の突出棒を前記ケースの通孔に嵌合させるとともに、この突出棒の根元部に前記舌片の上面に係止されて蓋を開状態に保持する斜面を形成するようにする。これによって、蓋がケースから出っ張らなくなり、リレーターミナルの外形が小さくなるとともに、蓋を開けたときに突出棒の根元部の斜面が舌片に合わさったときに止まるので、蓋が所定の角度で安定して開いた状態になる。
【発明の効果】
【００１０】
この発明は前述のように、プリント板に搭載した各リレーの近傍に複数のＬＥＤをそれぞれ一列に配列するとともに、このＬＥＤと対向するようにケースに窓を設け、該窓と前記ＬＥＤとの間にプレスの打ち抜き加工により各ＬＥＤと同数の導光路を並列に形成した板状の透明な導光部材を配することにより、動作表示を安価に行なうことができるとともに、各リレーの動作確認がし易くなる。また、導光路を透明板からプレスの打ち抜き加工によって製作することができ、安価に製作することができる。
また、プリント板に搭載した各リレーの近傍に複数のＬＥＤをそれぞれ一列に配列するとともに、該ＬＥＤの上面を覆うようにケースの外側に階段面を形成し、このケースの階段面に前記ＬＥＤと対向する窓を設けるようにすれば、導光路が不要になり製作費が安くなる。
【００１１】
かかる構成において、ケースの上面を覆うようにケース内に取り付けられる蓋を備え、この蓋の両側に突出棒を設けるとともに、前記ケースの両側に前記突出棒が嵌合する通孔とこの通孔の下側よりケース内に突出する舌片を設け、前記蓋の突出棒を前記ケースの通孔に嵌合させるとともに、この突出棒の根元部に前記舌片の上面に係止されて蓋を開状態に保持する斜面を形成したので、蓋がケースから出っ張らなくなり、リレーターミナルの外形が小さくなるとともに、蓋を開けたときに、蓋が所定の角度で安定した状態で開いた状態になる。
【発明を実施するための最良の形態】
【００１２】
以下、この発明を実施例に基づいて説明する。図１は、この発明の実施例にかかるリレーターミナルの構成を示す斜視図である。ケース１の上部に窓８が一列に並べられている。各リレー２に対応するＬＥＤをそれぞれ対向する窓８の内側に配置しておけば、各リレー２の動作確認がし易くなる。
図２は、図１のＸ−Ｘ断面図である。蓋９がケース１の内部に取り付けられるとともに、プリント基板１０の右側にＬＥＤ４が搭載されている。ＬＥＤ４の上部に導光路５が配され、さらに導光路５の上部が窓８に嵌め込まれている。
図１、図２に示された構成のその他は、従来のリレーターミナルの構成と同じである。従来と同じ部分には同一参照符号を付け、詳細な説明をここで繰り返すことは省略する。
図３は、図２の導光路５だけを取り出して示した斜視図である。複数の導光路５が連結部５Ａを介して一列に並べられている。導光路５の下部にＬＥＤ４が配され、導光路５のそれぞれの上部側にはケースを貫通する窓８（図１）が配されている。導光路５を連結部５Ａを含めて図３のように構成すると、一枚の透明板をプレスの打ち抜き加工によって製作することができる。したがって、金型が不要になり安価な打ち抜き型によって製作することができるようになる。なお、図３の連結部５Ａは導光路５の中間にあるが、連結部５Ａの位置は上下どの位置でもよい。導光路５と連結部５Ａとで、くし形を形成していればよく、連結部５Ａが導光路５の最上部にあっても最下部にあってもよい。
【００１３】
図４は、図１のケース１の下部に嵌め入まれている底板部とスライダだけを取り出して示した分解斜視図である。スライダ１１と底板部６とは、梁部２０を介して同じ材料で一体に形成されている。ドライバ穴２１を備えたスライダ１１が底板部６に対して後述されるようにスライド可能である。
図５は、図４のスライダ１１付近の構成を拡大して示した要部斜視図である。スライダ１１が底板部６から分かれたＬ字状の梁部２０を介して両側から支えられるとともに、底板部６の隙間２２からケースの外部（図５の左下方）へドライバ穴２１のある部分が出っ張っている。したがって、梁部２０の材料がプラスチックであれば、可とう性があるので、スライダ１１は矢印Ｅ方向または反Ｅ方向にスライド可能である。スライダ１１と底板部６とを梁部２０も含めてプラスチック材料で一体に成型すれば、部品点数が従来のリレーターミナル（図１６）より減り、製作費および組立時間が節約される。
【００１４】
図６は、図１のリレーターミナルがレールに取り付けられるときのスライダの動きを説明する断面図である。それぞれ（Ａ）はリレーターミナルをレール７に取り付ける直前の状態、（Ｂ）はリレーターミナルをレール７に取り付けている途中の状態、（Ｃ）はリレーターミナルをレール７に取り付け終えた状態の図である。スライダ１１の動きは、図２０で説明されたスライダ４１の動きと全く同様である。すなわち、図６（Ａ）において、まず、レール７の図示されていない右側の突条７Ａが図２のように底板６の第一係止部１２Ａに嵌められ、次に左側の突条７Ａがスライダ１１のテーパ面１３に当てられる。その状態でリレーターミナルを上から押すと、図６の（Ｂ）のようにスライダ１１がテーパ面１３によって左側へスライドする。さらにリレーターミナルを押すと、図６の（Ｃ）のように，レール７の左側の突条７Ａがスライダ１１の第二係止部１２Ｂに嵌まり込む。図６の（Ｃ）の状態は、スライダ１１がレール７によって左側へ押されているので距離Ｄだけ（Ａ）の状態より左側へ寄っている。
【００１５】
図６におけるスライダ１１の左方への動きは、図５では矢印Ｅ方向への動きに対応する。図５において、スライダ１１がＥ方向へ押されると、梁部２０が撓んでスライダ１１がＥ方向へ動く。梁部２０は、可とう性を持っているので、ばねの働きをしスライダ１１を反Ｅ方向へ戻そうとする付勢力がスライダ１１に与えられる。そのために、図６の（Ｃ）の状態では、スライダ１１がレール７を右側へ押し続けている。それによって、リレーターミナルがレール７に固定される。
リレーターミナルをレール７から外すときは、図５においてスライダ１１のドライバ穴２１にドライバを差し込み、スライダ１１をＥ方向へ引き出す。それによって、レール７と第二係止部１２Ｂとの係止が解け、リレーターミナルがレール７から外れる。
図７は、図２の蓋９を開いた状態を示す断面図である。蓋９が下部を支点にして時計方向に回り止まっている状態である。
【００１６】
図８は、図７の蓋９の取り付け部の構成を示す要部斜視図である。蓋９の一方の辺の両側に腕２７が取り付けられ、この腕２７を介して突出棒２６が設けられるとともに、ケース１の内部両側に突出棒２６の嵌合可能な通孔７１が設けられている。通孔７１縁端の端子側（図８の下方側）には、舌片２９が蓋９側（図８の手前側）に向けて突設されるとともに、腕２７先端が三角状に切り欠かかれ、突出棒２６の軸方向に平行な二つの斜面２８Ａ，２８Ｂが形成されている。なお、図８には蓋９の辺の一方側だけが示されているが、蓋９の辺のもう一方側も図８と対称な構成になっている。
図９は、図８の蓋９の開閉状態を示す要部断面図である。（Ａ）は蓋９が閉じられている状態、（Ｂ）は蓋９が開けられている状態の図である。図９の（Ａ）において、突出棒２６が舌片２９の上に載った状態になっている。蓋９を時計方向に回動させると、図９の（Ｂ）の状態になり、斜面２８Ａが舌片２９の上に丁度合わさったところで止まる。従来の図１７のような蓋４３は、開けた状態では蓋４３が安定せず、蓋４３がゆらゆら振動していた。図８の構成にすることにより、蓋が斜面２８Ａと舌片２９とで所定の角度で安定するようになる。なお、斜面２８Ｂは、図９の（Ａ）の状態から蓋９を回動し易くしている。
【００１７】
図１０は、この発明の異なる実施例にかかるリレーターミナルの構成を示す斜視図である。ケース３３の側面を段状に出っ張らせ階段面３４を設ける。この階段面３４に窓３２が形成され、各窓３２に対向してＬＥＤの発光部がケース３３内部配されている。窓８は、階段面３４上に一列に並べられている。窓３２を各リレー２に対応するＬＥＤのものにしておけば、リレー２の動作確認がし易くなる。                            
図１１は、図１０のＢ−Ｂ断面図であり、（Ａ）は全体図、（Ｂ）は図１１（Ａ）のＣ部拡大図である。図１１の（Ａ）は、ケ−ス３３に階段面３４が形成され、この階段面３４の内面側にプリント基板１０の右端部が来るように配されている。その他は、図２の構成と同じである。図１１の（Ｂ）は、階段面３４に窓３２が形成され、窓３２の直下に接してプリント基板１０上のＬＥＤ４が来るように配されている。これによって、従来、必要であった導光路が不要になり、製作費が安くなる。
【００１８】
図１２は、この発明のさらに異なる実施例にかかるリレーターミナルの構成を示す要部斜視図である。スライダ１１に当接部３５が突設され、底板部６の一部が切り欠かれ、切り欠き面６Ａが形成されている。その他は、図５の構成と同じである。
図１３は、図１２のＺ−Ｚ断面図であり、（Ａ）はスライダ１１にレール７を嵌める前の状態、（Ｂ）はスライダ１１の第二係止部１２Ｂにレール７を嵌め終えた状態である。その他は、図６の（Ａ）、（Ｃ）と同じである。図１３の（Ａ）では当接部３５がまだ切り欠き面３６Ａの上に来てはいないが、図１３の（Ｂ）ではスライダ１１がレール７の突条７Ａの押されて距離Ｄだけスライドし、当接部３５が切り欠き面３６Ａの上に来る。図１３の（Ｂ）の状態では、底板部６は、前述したように端子部につながっているが、スライダ１１は、レール７に固定されている。底板部６とスライダ１１とは、図１３では図示されていない梁部を介してつながっている。端子部の配線などにおいて、リード線が引っ張られると梁部が撓み、底板部６はスライダ１１に対して矢印Ｇ方向に移動しようとする。しかし、当接部３５が底板部６の切り欠き面３６Ａに当たるので、底板部６の梁部が必要以上に撓むことがない。そのために、梁部材料の応力疲労がなくなり、寿命が長くなる。
【００１９】
図１４は、この発明のさらに異なる実施例にかかるリレーターミナルの構成を示す要部断面図であり、リレーターミナルがレール７に取り付けられるときのスライダ１１の動きを説明する断面図である。それぞれ（Ａ）はリレーターミナルをレール７に取り付ける直前の状態、（Ｂ）はリレーターミナルをレール７に取り付けている途中の状態、（Ｃ）はリレーターミナルをレール７に取り付け終えた状態の図である。図１４の（Ａ）は、スライダ１１の右側上部に突起部３７が突設され、突起部３７の上部と底板部６との間にギャップ長Ｌが確保されている。その他は、図６の（Ａ）の構成と同じである。図１４の（Ｂ）は、スライダ１１が押し上げられ突起部３７の上部が底板部６に当たっている。その後は、スライダ１１は、矢印Ｈ方向にだけにしかスライドしない。図１４の（Ｃ）は、レール７の左側の突条７Ａがスライダ１１の第二係止部１２Ｂに嵌まり込み、突起部３７の上部と底板部６との間にギャップ長Ｌは、図１４の（Ａ）における寸法に戻り、スライダ１１はレール７によって距離Ｄだけ（Ａ）の状態より左側へ寄る。これによって、リレーターミナルをレール７の取り付けるときにスライダ１１がギャップ長Ｌだけ曲がった後は傾斜することがないので、図１４では図示されていない梁部に必要以上の撓みがかからなくなる。そのために、梁部が応力疲労しなくなり、寿命が長くなる。
【００２０】
なお、図１または図１０の実施例において、一列に配された窓８，３２は、各ＬＥＤと同数でかつ角窓に形成されているが、ＬＥＤの全配列幅が入る長さの長窓を複数形成してもよい。あるいは、角窓と長窓とを組み合わせたり、角窓の代わりに丸窓とするなど形状の異なる窓としてもよい。
【図面の簡単な説明】
【００２１】
【図１】この発明の実施例にかかるリレーターミナルの構成を示す斜視図
【図２】図１のＸ−Ｘ断面図
【図３】図２の導光路だけを取り出して示した斜視図
【図４】図１のケースの下部に嵌め入まれている底板部とスライダだけを取り出して示した分解斜視図
【図５】図４のスライダ１１付近の構成を拡大して示した要部斜視図
【図６】図１のリレーターミナルがレールに取り付けられるときのスライダの動きを説明する断面図であり、それぞれ（Ａ）はリレーターミナルをレールに取り付ける直前の状態、（Ｂ）はリレーターミナルをレールに取り付けている途中の状態、（Ｃ）はリレーターミナルをレールに取り付け終えた状態の断面図
【図７】図２の蓋を開いた状態を示す断面図
【図８】図７の蓋の取り付け部の構成を示す要部斜視図
【図９】図８の蓋の開閉状態を示す要部断面図
【図１０】この発明の異なる実施例にかかるリレーターミナルの構成を示す斜視図
【図１１】図１０のＢ−Ｂ断面図であり、（Ａ）は全体図、（Ｂ）は図１１（Ａ）のＣ部拡大図
【図１２】この発明のさらに異なる実施例にかかるリレーターミナルの構成を示す要部斜視図
【図１３】図１２のＺ−Ｚ断面図であり、（Ａ）はスライダにレールを嵌める前の状態、（Ｂ）はスライダにレールを嵌め終えた状態の断面図の断面図
【図１４】この発明のさらに異なる実施例にかかるリレーターミナルの構成を示す要部断面図であり、リレーターミナルがレールに取り付けられるときのスライダの動きを説明する断面図であり、それぞれ（Ａ）はリレーターミナルをレールに取り付ける直前の状態、（Ｂ）はリレーターミナルをレールに取り付けている途中の状態、（Ｃ）はリレーターミナルをレールに取り付け終えた状態の断面図
【図１５】従来のリレーターミナルの構成を示す斜視図
【図１６】図１５のリレーターミナルの底板部とスライダだけを取り出して示した分解斜視図
【図１７】図１５のＡ−Ａ断面図
【図１８】図１５リレーターミナルの導光路だけを取り出して示した斜視図
【図１９】図１６のスライダを底板部に取り付けた状態を示す要部平面図
【図２０】図１５のリレーターミナルがレールに取り付けられるときのスライダの動きを説明する断面図であり、それぞれ（Ａ）はリレーターミナルをレールに取り付ける直前の状態、（Ｂ）はリレーターミナルをレールに取り付けている途中の状態、（Ｃ）はリレーターミナルをレールに取り付け終えた状態の断面図
【符号の説明】
【００２２】
１，３３：ケース、２：リレー、３：端子、４：ＬＥＤ、５：導光路、６：底
板、７：レール、７Ａ：突条、８，３２：窓、９：蓋、１０：プリント基板、１
１：スライダ、１２Ａ：第一係止部、１２Ｂ：第二係止部、２０：梁部、２６：
突出棒、２７：腕、２８Ａ，２８Ｂ：斜面、２９：舌片、３４：階段面、３５：
当接部、３７：突起部、７１：通孔
【図１】
2005123211.tif 000003
【図２】
2005123211.tif 000004
【図３】
2005123211.tif 000005
【図４】
2005123211.tif 000006
【図５】
2005123211.tif 000007
【図６】
2005123211.tif 000008
【図７】
2005123211.tif 000009
【図８】
2005123211.tif 000010
【図９】
2005123211.tif 000011
【図１０】
2005123211.tif 000012
【図１１】
2005123211.tif 000013
【図１２】
2005123211.tif 000014
【図１３】
2005123211.tif 000015
【図１４】
2005123211.tif 000016
【図１５】
2005123211.tif 000017
【図１６】
2005123211.tif 000018
【図１７】
2005123211.tif 000019
【図１８】
2005123211.tif 000020
【図１９】
2005123211.tif 000021
【図２０】
2005123211.tif 000022